(57)【要約】ディスクドライブユニットは、回転の軸（５）を有し且つディスク（Ｄ）を担持するよう回転の軸と同軸であるターンテーブルボディ（４ａ）を有する被駆動ターンテーブル（４）を有する。第１の摩擦層（１３）は、ディスクとの係合に対してターンテーブルボディ上に与えられる。ディスク上に位置付けられるディスククランパ（７）は、ディスクとの係合に対して第２の摩擦層を有する。ターンテーブル（４）は、センタリング凹部（１０）を有し、ディスククランパ（７）は、センタリング凹部へと適合するセンタリングピンを有する。本発明は、速い回転速度において向上されたセンタリング性能を有するディスクドライブユニットを与える。
2009502002.tif 000002
【特許請求の範囲】
【請求項１】
ディスクドライブユニットであって、
回転の軸を有し且つディスクを担持するよう該回転の軸と同軸であるターンテーブルボディとを有するターンテーブルと、
前記ディスクとの係合に対する前記ターンテーブルボディ上の第１の摩擦層と、
前記ディスクとの係合に対する第２の摩擦層を有するディスククランパと、を有する、
ディスクドライブユニット。
【請求項２】
前記ターンテーブルは、第１のセンタリング部材を有し、
前記ディスククランパは、該第１のセンタリング部材と係合可能である第２のセンタリング部材を有する、
請求項１記載のディスクドライブユニット。
【請求項３】
前記第１のセンタリング部材は、センタリング凹部を有し、
前記第２のセンタリング部材は、前記センタリング凹部へと適合するセンタリングピンを有する、
請求項２記載のディスクドライブユニット。
【請求項４】
前記第１の摩擦層は、摩擦リングを有する、
請求項１記載のディスクドライブユニット。
【請求項５】
前記第２の摩擦層は、摩擦リングを有する、
請求項１記載のディスクドライブユニット。
【請求項６】
前記第１及び第２の摩擦層は、同様の寸法を有し、実質的に同一の位置において前記ディスクを係合するよう適合される、
請求項１記載のディスクドライブユニット。
【請求項７】
前記ターンテーブルボディは、前記ディスクにおける中心ホールと係合可能である一般的にリング形状のセンタリングスプリングを有する、
請求項１記載のディスクドライブユニット。
【請求項８】
ディスクから及び／又はディスク上においてデータを夫々読み込む及び／又は書き込む装置であって、
請求項１乃至７のうちいずれか一項記載のディスクドライブユニットを備えられる、
装置。
【発明の詳細な説明】
【技術分野】
【０００１】
本発明は、回転の軸を有し且つディスクを担持するよう回転の軸と同軸であるターンテーブルボディを有するターンテーブル、ディスクとの係合に対するターンテーブルボディ上の第１の摩擦層、及び、ディスク上に位置付けられるディスククランパを有する、ディスクドライブユニットに係る。
【背景技術】
【０００２】
かかるディスクドライブユニットは、例えばＥＰ  ０  ０９５  ８００（特許文献１）から既知である。該既知のディスクドライブユニットにおいて、摩擦層は、ターンテーブルの溝において取り付けられる硬質ゴムリングによって形成される。ターンテーブル上の摩擦層は、回転速度が速い際にはターンテーブル上の中心位置においてより長くディスクを維持するが、不釣合い力は、摩擦層とディスクとの間における摩擦力を越え得、ターンテーブル上のディスクの偏位をもたらす。かかる偏位は、オッドシステム（ｔｈｅ  ｏｄｄ  ｓｙｓｔｅｍ）のトラッキング性能を低減し、トラッキングアクチュエータにおける追加的な熱をもたらし、システムに対して不釣合い力を加えて振動を引き起こす。
【特許文献１】ＥＰ  ０  ０９５  ８００
【発明の開示】
【発明が解決しようとする課題】
【０００３】
本発明は、改良されたセンタリング性能を有するディスクドライブユニットを低コストで与える、ことを目的とする。
【課題を解決するための手段】
【０００４】
該目的は、本発明に従ったディスクドライブユニットによって達成される。当該ディスクドライブユニットは、ディスククランパがディスクとの係合に対する第２の摩擦層を有する、ことを特徴とする。有利な実施例は、従属請求項において定義付けられる。
【０００５】
本発明によれば、ディスク上の摩擦力は増大され、偏位へのディスクの動きに対する抵抗は、向上される。かかる追加的な摩擦層は、ディスクドライブユニットのコストを大きく増やすことはない。
【０００６】
ターンテーブルがセンタリング凹部等である第１のセンタリング部材を有し、ディスククランパが第１のセンタリング部材と係合可能であるセンタリングピン等の第２のセンタリング部材を有する、ことは有利である。この特性により、クランパ自体が中心位置においてしっかりと保持されるため、ディスクを中心位置において維持する大変正確な手段が作られる。
【０００７】
望ましくは、第１及び第２の摩擦層は、摩擦リングを有する。該摩擦リングは、便利には同様の寸法を有し、実質的に同一の位置においてディスクを係合するよう適合される。
【０００８】
特定の一実施例において、ターンテーブルボディは、ディスクにおける中心ホールと係合可能である一般的にはリング形状のセンタリングスプリングを有する。
【０００９】
かかるセンタリングスプリングは、最初はディスクを中心位置へと促し、その後ディスクは、摩擦層によってかかる位置において保持される。ディスクに対する他のセンタリング手段は、想到される。
【００１０】
本発明はまた、ディスクから及び／又はディスク上においてデータを夫々読み込む及び／又は書き込む装置に係る。該装置は、本発明に従ったディスクドライブユニットを備えられる。
【発明を実施するための最良の形態】
【００１１】
本発明は、本発明に従った光ディスクドライブユニットの典型的な一実施例を大変概略的に示す図面を参照して、より詳細に説明される。
【００１２】
図面は、ディスクドライブユニットの一実施例を示す。当該ディスクドライブユニットは、例えば光ディスク又は同等のものであるディスクからデータを読み込む及び／又はディスク上にデータを書き込む装置において使用され得る。当該ディスクドライブユニットが使用される装置は、携帯型又は固定型の装置であり得、例えばオーディオ又はビデオプレーヤ及び／又はレコーダ、あるいはデータディスクリーダ及び／又はライタである。本実施例における光ディスクは、高速ＣＤ／ＤＶＤ／ブルーレイディスク又は同等のもの出あり得る。これらのディスクは、１０，０００ｒｐｍまでの速度及びそれより速い速度において回転され得る。
【００１３】
図１中に示される通り、ディスクドライブユニットは、ディスクドライブユニットを収容する筐体１を有する。ディスクドライブユニットは、光学ピックアップユニット３及びディスクＤを担持するターンテーブル４を有する、光学システム２を有する。ターンテーブル４は、ベアリングコラムにおいて回転可能に取り付けられ且つターンテーブルに対する回転の軸を形成する回転スピンドル５によって、回転可能に担持される。ターンテーブル４は、ターンテーブルボディ４ａを有し、該ターンテーブルボディは、望ましくはプラスチックを有して作られ、回転の軸と同軸である回転スピンドル５の自由端に対して取り付けられる。電気モータ６の一部を形成するロータは、ターンテーブル４の下方側部に対して取り付けられる。
【００１４】
ターンテーブル４は、（ディスクＤがターンテーブル４上に位置付けられる際には）ディスクＤ上に位置付けられる（部分的に）磁化金属（スチール）クランパ７と協働し、ターンテーブル４の回転中、特には高速回転中、ディスクＤを安定化させるよう、ターンテーブル上へとディスクＤを堅くクランプする。磁化クランパ７は、ターンテーブル４において、この場合ではターンテーブル４上の突出ハブ９内において、与えられるクランプ磁石８と協働するよう設計される。クランパ７は、クランプ状態において、磁石８に近付いて間に小さなギャップを残すよう、位置付け及び形成され得る。これは、一方ではクランパ７上に十分な引力をもたらし、他方ではディスクからのクランパの容易な取外しをもたらす。この後者の要求により、磁石８による最大引力は制限される。
【００１５】
ターンテーブル上のクランパ７を中心位置において正確に位置付けるよう、ターンテーブル４及びクランパ７は、第１及び第２のセンタリング部材を備えられ、該部材はこの場合、ターンテーブル５における凹部１０、及び凹部１０へと正確に適合するクランパ７の下方側上のセンタリングピン１１である。センタリングピン１１は、望ましくは、改善された自動センタリングに対してその先端において面（ｃｈａｍｆｅｒ）又は半径を備えられる。
【００１６】
ターンテーブル４のハブ９は、ターンテーブル４上のディスクＤをセンタリングするよう、ディスクＤにおける中心ホールを介して突出する。このセンタリングを改善するよう、ハブ９は、ディスクセンタリングスプリング１２を備えられる。該スプリング１２の全般的直径は、ディスクにおけるホールＣより僅かに大きく、センタリングスプリングは、ディスクホールＣの円周上に外向きの圧力を加える。
【００１７】
第１の摩擦リング１３は、特には加速及び高速中にディスクＤがターンテーブル４の回転に確実に続くよう、ターンテーブル４上に与えられる。第２の摩擦リング１４は、高速回転中にディスクＤ上に加えられる摩擦力を倍加するよう、クランパ７の下方側部上に与えられ、それによって不釣合い力の場合にディスクが偏位に動くことを防ぐ。第１及び第２の摩擦リング１３，１４は、同等、又は少なくとも同様の寸法を有し、異なる側部上であるが実質的に同一の位置においてディスクＤを係合する。結果として、該リングは、それらの間においてディスクをクランプする。摩擦リングの材料は、望ましくは、クロロプレンゴム（ＣＲ）等であるゴムの種類を有して作られる。
【００１８】
前述の説明から、本発明は低コストにおいて改善されたディスクセンタリングを有するディスクドライブユニットを与える、ことが明確である。
【００１９】
現在望まれる実施例において、ディスクＤは、光学データディスクである。しかしながら、本発明は全ての種類のディスクに対しても使用され得る、ことは理解されるべきである。該種類とは、例えば、強誘電性、磁気、光磁気、光学、近接場、アクティブ電荷蓄積ディスク、あるいは、かかる技術の組合せ又は他の読込み及び／又は書込み技術を使用する他のディスクである。
【００２０】
明細書及び請求項において、単数形の使用はその複数の存在を除外せず、「有する」という語は追加的な要素又は段階を除外しない、ことが留意される。請求項中の参照符号は、その範囲を制限するものとして解釈されるべきではない。
【００２１】
本発明は、図示された上述の実施例に制限されず、添付の請求項の範囲から逸脱することなく複数の方途において変えられ得る。例えば、摩擦リングの位置及び形状、又は他の形状を有する摩擦層は、可変であり得る。クランパ（又はそれと協働する部分）は、部分的に磁化材料を有して作られ得る。
【図面の簡単な説明】
【００２２】
【図１】本発明に従ったディスクドライブユニットを有する光ディスクを読み込む及び／又は光ディスクに書き込む装置の大変概略的な断面図である。
【図２】更に大きな縮尺による図１中のディスクドライブユニットのターンテーブルの大変概略的な断面図である。
【図１】
2009502002.tif 000003
【図２】
2009502002.tif 000004
【国際調査報告】
2009502002.tif 000005
2009502002.tif 000006